(57)【要約】【課題】  携帯時の持ち運びの取扱性に優れ、かつ、携帯が容易な小型キャビネットであっても良好な低域再生特性を確保することができるスピーカーシステムを提供することにある。【解決手段】  携帯用のスピーカーシステムは、キャビネットが、スピーカーが取り付けられる第１バフルと、第１バフルとは別に設けられる第２バフルと、少なくとも第１バフルおよび第２バフルにより規定される第１キャビティと、を備え、第１バフルが、蓋部材を取り外し可能に連結する第１連結部を有し、第２バフルが、第１バフルから取り外された蓋部材を連結する第２連結部と、第１キャビティに連通する第１ダクトと、を有し、動作時に第２連結部に連結される蓋部材が、第２バフルとともに第１ダクトに連通する第２キャビティを規定し、かつ、第２キャビティに連通する第２ダクトを備える。【選択図】  図１
2008028686.tif 000002
【特許請求の範囲】
【請求項１】
スピーカーと、該スピーカーが取り付けられるキャビネットと、該スピーカーを保護する蓋部材と、を備えるスピーカーシステムであって、
該キャビネットが、該スピーカーが取り付けられる第１バフルと、該第１バフルとは別に設けられる第２バフルと、少なくとも該第１バフルおよび該第２バフルにより規定される第１キャビティと、を備え、
該第１バフルが、該蓋部材を取り外し可能に連結する第１連結部を有し、
該第２バフルが、該第１バフルから取り外された該蓋部材を連結する第２連結部と、該第１キャビティに連通する第１ダクトと、を有し、
動作時に該第２連結部に連結される該蓋部材が、該第２バフルとともに該第１ダクトに連通する第２キャビティを規定し、かつ、該第２キャビティに連通する第２ダクトを備える、
スピーカーシステム。
【請求項２】
前記蓋部材が、前記第２連結部に連結される動作時に、前記第２バフルとともに前記第２ダクトを構成する第１ハーフパイプ部、をさらに備える、
請求項１に記載のスピーカーシステム。
【請求項３】
前記キャビネットの前記第２バフルが、前記蓋部材の第１ハーフパイプ部に対応して該第２ダクトを構成する第２ハーフパイプ部、をさらに備える、
請求項２に記載のスピーカーシステム。
【請求項４】
前記蓋部材が、前記第２キャビティから遮断された収容空間を規定する収容壁部と、該収容壁部とともに収容空間を規定する収容蓋と、をさらに備える、
請求項１から３のいずれかに記載のスピーカーシステム。
【請求項５】
前記蓋部材が、その前記収容空間の内部に収容する接続コードをさらに備え、
前記キャビネットが、内部配線により前記スピーカーに接続するコネクタを備え、
該蓋部材が前記第２連結部に連結される動作時に、該収容空間から取り出された該接続コードが、該コネクタに接続する、
請求項４に記載のスピーカーシステム。
【請求項６】
前記スピーカーが、左ステレオ信号が入力される左スピーカーと、右ステレオ信号が入力される右スピーカーと、を少なくとも含み、
該左スピーカー振動板と該右スピーカー振動板とが、前記第１バフルの前面側空間と前記キャビネットの前記第１キャビティとを離隔する、
請求項１から５のいずれかに記載のスピーカーシステム。
【発明の詳細な説明】
【技術分野】
【０００１】
本発明は、使用者が携帯して持ち運びし、パーソナルコンピューターやディスクプレーヤー等に接続して使用する携帯用（ポータブル）スピーカーシステムに関する。
【背景技術】
【０００２】
従来、携帯可能なパーソナルコンピューターやディスクプレーヤー等を使用して音声を再生する場合に、これらに接続して音声信号を音声に変換する携帯用のスピーカーシステムが使用されることがある。携帯用のスピーカーシステムでは、通常の携帯性を要求されないスピーカーシステムに比較して、携帯時の持ち運びの取扱性を改善する工夫が必要になる。
【０００３】
携帯用スピーカーシステムにおいて、スピーカーの前面に設けられる前面パネルもしくはネットは、これを携帯する時に、スピーカーの振動板が異物と衝突して破壊されることを防止するように、樹脂または金属の部材で構成される。また、例えば、従来の携帯用スピーカーシステムには、左右のスピーカーボックスを結合するようにして、携帯時の持ち運びの取扱性を改善するものがある（特許文献１）。
【０００４】
一方で、携帯用スピーカーシステムは、携帯性を確保するためにキャビネットが小型になるので、十分な音響容量がとれずに低音域の再生能力が不足する場合がある。従来には、容量が制約されたバスレフ型スピーカーシステムの低域再生特性を、必要時に容量とダクトの開口面積を増加させる手段を設けて、改善するものがある。（特許文献２）。
【０００５】
【特許文献１】実開平７−２９９２号公報
【特許文献２】実開平１−５７８７７号公報
【０００６】
しかしながら、携帯用スピーカーシステムであっても、良好な音声再生のためには、携帯が容易な小型キャビネットで良好な低域再生特性を確保する必要がある。また、同時に携帯用スピーカーシステムは、携帯時に破壊されやすいスピーカーの振動板を保護しなければならず、一方で、持ち運びの取扱性を改善しておくことが好ましい。
【発明の開示】
【発明が解決しようとする課題】
【０００７】
本発明は、上記の従来技術が有する問題を解決するためになされたものであり、その目的は、携帯用スピーカーシステムであって、携帯時の持ち運びの取扱性に優れ、かつ、携帯が容易な小型キャビネットであっても良好な低域再生特性を確保することができる携帯用スピーカーシステムを提供することにある。
【課題を解決するための手段】
【０００８】
本発明の携帯用のスピーカーシステムは、スピーカーと、スピーカーが取り付けられるキャビネットと、スピーカーを保護する蓋部材と、を備えるスピーカーシステムであって、キャビネットが、スピーカーが取り付けられる第１バフルと、第１バフルとは別に設けられる第２バフルと、少なくとも第１バフルおよび第２バフルにより規定される第１キャビティと、を備え、第１バフルが、蓋部材を取り外し可能に連結する第１連結部を有し、第２バフルが、第１バフルから取り外された蓋部材を連結する第２連結部と、第１キャビティに連通する第１ダクトと、を有し、動作時に第２連結部に連結される蓋部材が、第２バフルとともに第１ダクトに連通する第２キャビティを規定し、かつ、第２キャビティに連通する第２ダクトを備える。
【０００９】
好ましくは、本発明のスピーカーシステムは、蓋部材が、第２連結部に連結される動作時に、第２バフルとともに第２ダクトを構成する第１ハーフパイプ部、をさらに備える。
【００１０】
また、好ましくは、本発明のスピーカーシステムは、キャビネットの第２バフルが、蓋部材の第１ハーフパイプ部に対応して、第２ダクトを構成する第２ハーフパイプ部、をさらに備える。
【００１１】
さらに、好ましくは、本発明のスピーカーシステムは、蓋部材が、第２キャビティから遮断された収容空間を規定する収容壁部と、収容壁部とともに収容空間を規定する収容蓋と、をさらに備える。
【００１２】
また、好ましくは、本発明のスピーカーシステムは、蓋部材が、その収容空間の内部に収容する接続コードをさらに備え、キャビネットが、内部配線によりスピーカーに接続するコネクタを備え、蓋部材が第２連結部に連結される動作時に、収容空間から取り出された接続コードが、コネクタに接続する。
【００１３】
また、好ましくは、本発明のスピーカーシステムは、スピーカーが、左ステレオ信号が入力される左スピーカーと、右ステレオ信号が入力される右スピーカーと、を少なくとも含み、左スピーカー振動板と右スピーカー振動板とが、第１バフルの前面側空間とキャビネットの第１キャビティとを離隔する。
【００１４】
以下、本発明の作用について説明する。
【００１５】
本発明の携帯用のスピーカーシステムは、スピーカーと、スピーカーが取り付けられるキャビネットと、携帯時にスピーカーを保護する蓋部材と、を備える。キャビネットは、スピーカーが取り付けられる第１バフルと、第１バフルとは別に設けられる第２バフルと、第１バフルおよび第２バフルにより規定される第１キャビティと、を備える。そして、第１バフルは、蓋部材を取り外し可能に連結する第１連結部を有し、第２バフルは、第１バフルから取り外された蓋部材を連結する第２連結部と、第１キャビティに連通する第１ダクトと、を有する。
【００１６】
つまり、本発明のスピーカーシステムでは、蓋部材は、携帯時にキャビネットの第１バフルに設けられた第１連結部に連結し、携帯時に破壊されやすいスピーカーの振動板を保護する。そして、蓋部材は、動作時にキャビネットの第２バフルに設けられた第２連結部に連結して、ダブルバスレフ式のキャビネットを構成する。すなわち、キャビネットの第１キャビティと、第２バフルが有する第１ダクトと、蓋部材が第２バフルとともに規定する第２キャビティと、蓋部材が備える第２ダクトとが、相互に連通して、キャビティにおける音響容量とダクトにおける音響質量が共振するダブルバスレフ式のキャビネットを構成する。
【００１７】
その結果、本発明の携帯用のスピーカーシステムは、携帯性に優れる小型キャビネットであっても、音声を再生する動作時には、蓋部材が形成するダブルバスレフ式のキャビネットにより良好な低域再生特性を確保することができる。そして、音声を再生しない携帯時には、蓋部材が破壊されやすいスピーカーの振動板を確実に保護する。したがって、携帯時の持ち運びの取扱性に優れ、かつ、良好な低域再生特性を有する携帯用スピーカーシステムが実現される。なお、一つの音声チャンネル信号に対応するスピーカーのみを含むものであってもよく、また、左右音声信号がそれぞれ入力される左スピーカーおよび右スピーカーを含む、ステレオ一体式の携帯用スピーカーシステムであってもよい。
【００１８】
この携帯用スピーカーシステムは、上記のような第２ダクトを有する蓋部材を備え、この蓋部材が連結する第１連結部と第２連結部とを、それぞれ第１バフルと第２バフルとに有している。具体的には、蓋部材の第２ダクトは、蓋部材が第２連結部に連結される動作時に、キャビネットの第２バフルとともに第２ダクトを構成する第１ハーフパイプ部を備えていてもよい。また、キャビネットの第２バフルが、蓋部材の第１ハーフパイプ部に対応して、第２ダクトを構成する第２ハーフパイプ部を備えていてもよい。キャビネットおよび蓋部材を樹脂により成型する場合には、キャビネットおよび蓋部材を連結することで第２ダクトを構成することができるので、ダクトを構成する部品等を削減できる。
【００１９】
また、蓋部材が、第２キャビティから遮断された収容空間を規定する収容壁部と、収容壁部とともに収容空間を規定する収容蓋と、をさらに備えている場合には、その収容空間の内部に、携帯用スピーカーシステムへ供給する音声信号の接続に使用する接続コードを収容することができる。キャビネットには、内部配線によりスピーカーに接続するコネクタが備わっており、接続コードは、蓋部材が第２連結部に連結される動作時に、収容空間から取り出されて、コネクタに接続され、スピーカーから音声再生される。この携帯用スピーカーシステムは、蓋部材の内部に設けた収容空間に接続コードを収容することができるので、良好な低域再生特性が確保されるとともに、携帯時の持ち運びの取扱性に優れ、接続コードを紛失するようなことが少なくなる。
【発明の効果】
【００２０】
本発明のスピーカーシステムは、携帯時の持ち運びの取扱性に優れ、かつ、携帯が容易な小型キャビネットであっても良好な低域再生特性を確保することができる。また、ダブルバスレフのキャビネットを構成する部品を削減することができる。また、蓋部材に接続コードを収容することができ、接続コードを紛失しなくなる。
【発明を実施するための最良の形態】
【００２１】
本発明のスピーカーシステムは、携帯時の持ち運びの取扱性に優れ、かつ、携帯が容易な小型キャビネットであっても良好な低域再生特性を確保するという目的を、キャビネットが、スピーカーが取り付けられる第１バフルと、第１バフルとは別に設けられる第２バフルと、少なくとも第１バフルおよび第２バフルにより規定される第１キャビティと、を備え、第１バフルが、蓋部材を取り外し可能に連結する第１連結部を有し、第２バフルが、第１バフルから取り外された蓋部材を連結する第２連結部と、第１キャビティに連通する第１ダクトと、を有し、動作時に第２連結部に連結される蓋部材が、第２バフルとともに第１ダクトに連通する第２キャビティを規定し、かつ、第２キャビティに連通する第２ダクトを備えるようにすることにより、実現した。
【００２２】
以下、本発明の好ましい実施形態によるスピーカーシステムについて説明するが、本発明はこれらの実施形態には限定されない。
【実施例１】
【００２３】
図１および図２は、本発明の好ましい実施形態による携帯用スピーカーシステム１を説明する図である。図１は、この携帯用スピーカーシステム１を持ち運ぶ場合の携帯時の態様を表し、一方、図２は、この携帯用スピーカーシステム１が音声を再生する動作時の態様を表している。図１（ａ）は、携帯時の携帯用スピーカーシステム１を説明する斜視図であり、図１（ｂ）は、その内部構造を説明する側面断面図である。また、図２（ａ）は、動作時の携帯用スピーカーシステム１を説明する斜視図であり、図２（ｂ）は、その内部構造を説明する側面断面図である。なお、説明に不要な他の内部構造等は、省略している。
【００２４】
本実施例の携帯用スピーカーシステム１では、音声信号を音声に変換するスピーカー２がキャビネット３に取り付けられている。キャビネット３は、スピーカー２の振動板２１の前後空間を離隔して第１キャビティ３０を規定し、スピーカー２の振動板の前後で逆相に放射される音波が干渉しないようにして、低音域の再生特性を確保する。それに加えて、キャビネット３は、ダクト４を備え、キャビティ３０の音響容量とダクト４の音響質量が共振することにより低音域の再生特性を改善するバスレフ型キャビネットを構成している。具体的には、スピーカー２はキャビネットの前面バフル３１に取り付けられ、ダクト４は後面バフル３２に取り付けられ、前面バフル３１と後面バフル３２とは、天板３３、底板３４、左側板３５および右側板３６により連結しており、その結果、略直方体形状のキャビネット３が構成されている。
【００２５】
なお、キャビネット３は、通気性を有しない樹脂の成型品や、樹脂合板等を含む木材板、もしくは金属板、等から形成される。また、携帯用スピーカーシステム１の動作時にスピーカー２に入力される音声信号は、スピーカー２に接続する接続線２２と、接続線２２が接続するターミナル２３とを介して供給され、本実施例では、ターミナル２３は左側板３５に設けられている。携帯用スピーカーシステム１の動作時には、（図示しない）携帯可能なパーソナルコンピューターやディスクプレーヤー等から出力された音声信号が、（図示しない）増幅器で増幅されてターミナル２３に入力される。もちろん、携帯用スピーカーシステム１の内部に増幅器を有していてもよい。
【００２６】
本実施例の携帯用スピーカーシステム１は、携帯時にキャビネット３の前面バフル３１に取り付けられたスピーカー２の振動板２１を保護する蓋部材５を備えている。蓋部材５は、キャビネット３の前面バフル３１にほぼ並行に設けられる略長方形の前面保護板５１と、天面保護板５３と、底面保護板５４と、左側面保護板５５および右側面保護板５６とから構成され、キャビネット３の前面バフル３１に対向すべき一面が省略された略直方体形状の部材であり、その内部には内部空間５０が規定される。つまり、蓋部材５は、携帯時に、スピーカー２が取り付けられたキャビネット３の前面バフル３１に取り付けられると、その内部空間５０にスピーカー２を収容する。また、蓋部材５の天面保護板５３には、後述するダクト６が取り付けられている。
【００２７】
具体的には、キャビネット３の前面バフル３１には、その全周に渡って一定の幅を一段低くされた段差による凹部３１ａが形成され、一方、蓋部材５には、その天面保護板５３と、底面保護板５４と、左側面保護板５５および右側面保護板５６とから構成される開口の全周に渡って、凹部３１ａに嵌合する凸部５２が形成されている。したがって、携帯用スピーカーシステム１のユーザーは、前述の通り携帯時に凹部３１ａと凸部５２とを嵌合させて蓋部材５をキャビネット３の前面バフル３１に取り付けると、スピーカー２の振動板２１が異物と衝突して破壊されることを防止して、スピーカー２を保護することができる。なお、蓋部材５も、キャビネット３と同様に通気性を有しない樹脂の成型品や、樹脂合板等を含む木材板、もしくは金属板、等から形成される。
【００２８】
一方、本実施例の携帯用スピーカーシステム１では、音声を再生する動作時には、スピーカー２を保護する蓋部材５が、キャビネット３の後面バフル３２に取り付けられる。具体的には、キャビネット３の後面バフル３２には、前面バフル３１と同様に、その全周に渡って一定の幅を一段低くされた段差による凹部３２ａが形成されている。したがって、凹部３２ａは、蓋部材５の天面保護板５３と、底面保護板５４と、左側面保護板５５および右側面保護板５６とから構成される開口の全周に渡って形成されている凸部５２と嵌合する。キャビネット３の凹部３２ａと、蓋部材５の凸部５２とが嵌合すると、蓋部材５は、キャビネット３の後面バフル３２とともに第２キャビティ５０を形成する。
【００２９】
ここで、キャビネット３の後面バフル３２にはダクト４が取り付けられており、また、蓋部材５の天面保護板５３には、ダクト６が取り付けられている。ダクト４は、第１キャビティ３０内に配置される開口４１と、後面バフル３２に配置される開口４２とを有する筒体であり、また、ダクト６は、第２キャビティ５０内に配置される開口６１と、天面保護板５３に配置される開口６２とを有する筒体である。したがって、キャビネット３の第１キャビティ３０と、後面バフル３２が有するダクト４と、蓋部材５が後面バフル３２とともに規定する第２キャビティ５０と、蓋部材５が備えるダクト６とが、相互に連通して、ダブルバスレフ式のキャビネットを構成する。その結果、本実施例の携帯用スピーカーシステム１では、音声再生する動作時に、ユーザーが蓋部材５をキャビネット３の後面バフル３２に設けられた連結部に連結して、各キャビティにおける音響容量と各ダクトにおける音響質量が共振するダブルバスレフ式のキャビネットを構成することにより、良好な低域再生特性を確保することができる。
【００３０】
第１キャビティ３０および第２キャビティ５０の体積と、ダクト４およびダクト６の開口面積ならびに長さとは、スピーカー２の最低共振周波数ｆ０等のパラメータから、音声再生する動作時に良好な低域再生特性を確保するようにそれぞれ適切に設計される。この場合、第２キャビティ５０の体積は、第１キャビティ３０の体積に比べて著しく小さくなるようなことはないので、携帯時にキャビネット３の前面バフル３１に取り付けられる蓋部材５の深さは、スピーカー２の振動板２１を保護するのに十分な深さになる。したがって、携帯用スピーカーシステム１では、携帯時の持ち運びの取扱性と、良好な低域再生特性と、を両立させることができる。
【００３１】
なお、本実施例では、蓋部材５をキャビネット３に取り付けるにあたって、前面バフル３１の凹部３１ａと蓋部材５の凸部５２とを嵌合するようにし、また、第２キャビティ５０を形成するにあたって、後面バフル３２の凹部３２ａと蓋部材５の凸部５２とを嵌合するようにしたが、それぞれの連結部の構成は、本実施例に限られるものではない。蓋部材５の開口部分と嵌合する構造がキャビネット３の前面バフル３１と後面バフル３２とに共通して設けられていればよい。例えば、本実施例では、蓋部材５が前面バフル３１と後面バフル３２とに嵌合する場合であるが、第１キャビティを構成するバフルのうちで、スピーカーが取り付けられているバフルに蓋部材５との嵌合構造を備えていればよく、かつ、他方では、同じく第１キャビティを構成してダクトが取り付けられている他のバフルに、蓋部材５との嵌合構造を備えていればよい。また、キャビネットと蓋部材との嵌合構造は、嵌合部分の密閉性を保つために、ゴムやエラストマー樹脂等の弾性体、もしくは、スポンジ状の密封シール材を狭持する構造であってもよい。
【実施例２】
【００３２】
図３および図４は、本発明の好ましい他の実施形態による携帯用スピーカーシステム１０を説明する図である。図３は、この携帯用スピーカーシステム１０を持ち運ぶ場合の携帯時の態様を表し、一方、図４は、この携帯用スピーカーシステム１０が音声を再生する動作時の態様を表している。図３（ａ）は、携帯時の携帯用スピーカーシステム１０を説明する正面図であり、図３（ｂ）は、その内部構造を説明する上面断面図であり、図３（ｃ）は、側面図である。また、図４（ａ）は、動作時の携帯用スピーカーシステム１０を説明する正面図であり、図３（ｂ）は、その内部構造を説明する上面断面図であり、図３（ｃ）は、側面図である。なお、説明に不要な他の内部構造等は省略しているほか、携帯用スピーカーシステム１０内の接続線、ターミナル等も省略している。また、実施例１の携帯用スピーカーシステム１に共通するところには共通の番号を付し、説明および図示を省略する。
【００３３】
本実施例の携帯用スピーカーシステム１０は、左ステレオ信号に対応するスピーカー２Lと、右ステレオ信号に対応するスピーカー２Rとがキャビネット３に取り付けられており、ステレオ音声を再生する小型ステレオスピーカーシステムである。スピーカー２Lおよび２Rは、キャビネット３の前面バフル３１に設けられた凹面状のホーンにそれぞれ取り付けられている。キャビネット３は、スピーカー２Lおよび２Rの振動板の前後空間を離隔して第１キャビティ３０を規定し、スピーカー２の振動板の前後で逆相に放射される音波が干渉しないようにして、低音域の再生特性を確保する。つまり、携帯用スピーカーシステム１０は、スピーカー２Lおよび２Rが単一のキャビネット３に取り付けられてステレオ音声を再生可能になっているので、左右ステレオ信号のそれぞれに対応したキャビネットを備える場合に比べて、携帯時の持ち運びの取扱性に優れる。
【００３４】
キャビネット３は、ダクト４を備え、キャビティ３０の音響容量とダクト４の音響質量が共振することにより低音域の再生特性を改善するバスレフ型キャビネットを構成している。具体的には、スピーカー２Lおよび２Rはキャビネットの前面バフル３１に取り付けられ、ダクト４は後面バフル３２に取り付けられ、前面バフル３１と後面バフル３２とは、天板、底板、左側板および右側板により連結しており、その結果、略直方体形状のキャビネット３が構成されている。
【００３５】
本実施例の携帯用スピーカーシステム１０は、携帯時にキャビネット３の前面バフル３１に取り付けられたスピーカー２Lおよび２Rの振動板を保護する蓋部材５を備えている。蓋部材５は、キャビネット３の前面バフル３１にほぼ並行に設けられる略長方形の前面保護板５１と、天面保護板と、底面保護板と、左側面保護板５５および右側面保護板５６とから構成され、キャビネット３の前面バフル３１に対向すべき一面が省略された略直方体形状の部材である。キャビネット３の前面バフル３１には、その全周に渡って一段低くされた凹部３１ａが形成され、一方、蓋部材５には、その天面保護板と、底面保護板と、左側面保護板５５および右側面保護板５６とから構成される開口の全周に渡って、凹部３１ａに嵌合する凸部５２が形成されている。その結果、ユーザーが蓋部材５を、携帯時に、スピーカー２Lおよび２Rが取り付けられたキャビネット３の前面バフル３１に取り付けると、蓋部材５がスピーカー２Lおよび２Rの前面を保護する。左側面保護板５５および右側面保護板５６には、それぞれハーフパイプ６３L、６３Rが形成されており、蓋部材５の内部空間５０に連通している。
【００３６】
一方、携帯用スピーカーシステム１０では、音声を再生する動作時には、この蓋部材５が、キャビネット３の後面バフル３２に取り付けられる。具体的には、キャビネット３の後面バフル３２には、前面バフル３１と同様に、その全周に渡って一段低くされた凹部３２ａが形成されている。したがって、凹部３２ａは、蓋部材５の天面保護板と、底面保護板と、左側面保護板５５および右側面保護板５６とから構成される開口の全周に渡って形成されている凸部５２と嵌合する。キャビネット３の凹部３２ａと、蓋部材５の凸部５２とが嵌合すると、蓋部材５は、キャビネット３の後面バフル３２とともに第２キャビティ５０を形成する。
【００３７】
さらに、キャビネット３の後面バフル３２には、蓋部材５の左側面保護板５５および右側面保護板５６に形成されたハーフパイプ６３Lと６３Rとに対応して、略円筒状のダクトを形成するハーフパイプ６４Lと６４Rとが、後面バフル３２に凹部を設けることで形成されている。つまり、蓋部材５をキャビネット３の後面バフル３２に取り付けると、第２キャビティ５０を形成すると同時に、第２キャビティ５０からキャビネットの外部に連通するダクト６Lおよび６Rを形成することができる。したがって、キャビネット３の第１キャビティ３０と、後面バフル３２が有するダクト４と、蓋部材５が後面バフル３２とともに規定する第２キャビティ５０と、蓋部材５ならびに後面バフル３２のハーフパイプが形成するダクト６Lおよび６Rとが、相互に連通して、ダブルバスレフ式のキャビネットを構成する。その結果、携帯用スピーカーシステム１０は、動作時にダブルバスレフ式のキャビネットを構成することにより、良好な低域再生特性を確保することができる。
【実施例３】
【００３８】
図５および図６は、本発明の好ましい他の実施形態による携帯用スピーカーシステム１１を説明する図である。図５は、この携帯用スピーカーシステム１１を持ち運ぶ場合の携帯時の態様を表し、一方、図６は、この携帯用スピーカーシステム１１が音声を再生する動作時の態様を表している。図５（ａ）は、携帯時の携帯用スピーカーシステム１を説明する斜視図であり、図５（ｂ）は、その内部構造を説明する側面断面図である。また、図６は、動作時の携帯用スピーカーシステム１１を説明する斜視図であり、また、図７は、携帯用スピーカーシステム１１を構成する蓋部材５を説明する斜視図である。なお、説明に不要な他の内部構造等は省略しているほか、携帯用スピーカーシステム１１内の接続線も省略している。また、上記実施例の携帯用スピーカーシステム１もしくは１０に共通するところには共通の番号を付し、説明および図示を省略する。
【００３９】
本実施例の携帯用スピーカーシステム１１は、左ステレオ信号に対応するスピーカー２Lと、右ステレオ信号に対応するスピーカー２Rとがキャビネット３に取り付けられており、ステレオ音声を再生する小型ステレオスピーカーシステムである。携帯用スピーカーシステム１１の基本的構成は、実施例２の携帯用スピーカーシステム１０に共通し、携帯時にキャビネット３に取り付けられたスピーカー２Ｌおよび２Ｒを保護する蓋部材５を備えている。一方、音声を再生する動作時には、この蓋部材５が、キャビネット３の後面バフル３２に取り付けられてダブルバスレフのキャビネットを構成する。キャビネット３の後面バフル３２にはダクト４が取り付けられており、また、蓋部材５ならびに後面バフル３２のハーフパイプが、ダクト６Lおよび６Rを形成している。
【００４０】
この携帯用スピーカーシステム１１では、スピーカー２Lおよび２Rは、キャビネット３の前面バフル３１に設けられた凹面状のホーンにそれぞれ取り付けられている。この携帯用スピーカーシステム１１を、後面バフル３２が底側になるようにして机等の平行面に設置した際に、前面バフル３１は、再生音波の放射方向が斜め上方になるように形成されたキャビネット筒体３７に取り付けられている。なお、キャビネット３および蓋部材５は、通気性を有しない樹脂で成形された成型部品を組み立てて形成されている。
【００４１】
携帯用スピーカーシステム１１は、スピーカー２Lおよび２Rがこのような形状のキャビネット３に取り付けられているので、携帯時の持ち運びの取扱性に優れ、良好な低域再生特性を有し、かつ、ユーザーの頭部方向に再生音波が放射されるので、パーソナルコンピューターに接続して使用する場合に特に適する。なお、携帯用スピーカーシステム１１は、（図示しない）増幅器を内部に有し、キャビネット筒体３７の側面に配置されるステレオ入力端子２４にステレオ音声信号が接続コード７により供給される。つまり、接続コード７は、（図示しない）パーソナルコンピューターのステレオ音声出力端子と、ステレオ入力端子２４とを接続する。増幅器の電源は、（図示しない）ＡＣアダプタをコネクタ２５に接続することで供給される。また、増幅器での音量調節は、電源スイッチを兼用するボリューム２６によりユーザーが調整する。
【００４２】
携帯用スピーカーシステム１１の蓋部材５は、キャビネット３に嵌合する凸部５２が一体に形成されている前面保護部材５７と、前面保護部材５７に取り付けられる収容蓋５８と、から構成される。蓋部材５の前面保護部材５７は、キャビネット３の前面バフル３１と嵌合した場合には内部空間５０を形成し、キャビネット３の後面バフル３２と嵌合した場合には第２キャビティ５０を形成する一方で、蓋部材５の内部に内部空間５０もしくは第２キャビティ５０から遮断された収容空間５９を収容蓋５８とともに規定する収容壁部を有する。つまり、蓋部材５は、前面保護部材５７の収容壁部という仕切によって、携帯時にスピーカーを保護し、動作時にダブルバスレフのキャビネットを形成する空間５０と、携帯用スピーカーシステム１１を使用するにあたって必要な接続コード７を収容する収容空間５９とに仕切られている。この携帯用スピーカーシステム１１を持ち運ぶ場合の携帯時の態様を表す図５（ｂ）の側面断面図と、図７の斜視図には、蓋部材５の収容空間５９に接続コード７が収容されている様子が表されている。
【００４３】
携帯時に蓋部材５内に収容されている接続コード７は、携帯用スピーカーシステム１１を動作させようとするユーザーが、蓋部材５をキャビネット３の前面バフル３１から取り外してキャビネット３の後面バフル３２に取り付けるときに、収容蓋５８を取り外してその収容空間５９から取り出すことにより、キャビネット３の側面に設けられたステレオ入力端子２４に接続可能になる。また、携帯用スピーカーシステム１１を動作させた後にさらに携帯する場合も、同様に接続コード７は蓋部材５の収容空間５９内に収容される。したがって、携帯用スピーカーシステム１１では、携帯時の持ち運びの取扱性に優れ、接続コード７を紛失するようなことが少なくなる。
【００４４】
図８は、本実施例の携帯用スピーカーシステム１１の低域での音圧周波数特性を、他の比較例と比較するグラフである。携帯用スピーカーシステム１１は、携帯に適する小型のキャビネットを備えるスピーカーシステムであるので、例えば、スピーカー２Ｌおよび２Ｒがそれぞれ口径３ｃｍであり、その全体体積が約３２０ｃｃという非常に小さい体積に制限される。ここでは、携帯用スピーカーシステム１１のキャビネットが、（Ａ）本実施例のダブルバスレフの場合（第１キャビティ：約２００ｃｃ、ダクト４：ポート直径１７ｍｍ・長さ５５ｍｍ、第２キャビティ：約１００ｃｃ、ダクト６Ｌおよび６Ｒ：ポート直径１０ｍｍ・長さ２０ｍｍ）と、（Ｂ）従来のバスレフの場合（キャビティ：約３２０ｃｃ、ダクト：ポート直径２０ｍｍ・長さ４９ｍｍ）と、（Ｃ）従来の密閉の場合（キャビティ：約３２０ｃｃ）とを比較する。
【００４５】
図８の周波数特性を比較すると、（Ａ）の本実施例のスピーカーシステム１１は、ダブルバスレフであるので、（Ｂ）従来のバスレフもしくは（Ｃ）密閉よりも低域の再生可能帯域を拡大することができ、最も低域再生能力に優れる。したがって、携帯用スピーカーシステム１０では、携帯時の持ち運びの取扱性と、良好な低域再生特性と、を両立させることができる。
【００４６】
なお、携帯用スピーカーシステム１１で、蓋部材５内に接続コード７を収容するための収容空間５９を設ける場合には、全体の音響容量として使用できる体積が減少することがある。（Ａ）ダブルバスレフの携帯用スピーカーシステム１１では、蓋部材５内に収容空間５９を設けることで、全体の音響容量として使用できる体積が、比較例の（Ｂ）、（Ｃ）の場合よりも減少しているにもかかわらず、良好な低域再生能力を確保することができる。もちろん、比較例の（Ｂ）バスレフの場合と、（Ｃ）密閉の場合に同様の収容空間５９を設けると、再生可能な低域限界周波数は上昇してしまうので、（Ａ）のダブルバスレフの場合とは、更に差が開くことになる。
【００４７】
このように、本実施例の携帯用スピーカーシステム１１は、携帯時の持ち運びの取扱性に優れ、かつ、携帯が容易な小型キャビネットであっても良好な低域再生特性を確保することができ、そして、蓋部材５に接続コード７を収容することができ、接続コード７を紛失しなくなり携帯性が改善される。
【００４８】
なお、実施例２および３の携帯用スピーカーシステム１１では、左ステレオ信号に対応するスピーカー２Lと、右ステレオ信号に対応するスピーカー２Rとが、キャビネット３の第１キャビネット３０およびダクト４とを共用している場合であるが、スピーカー２Lおよび２Ｒのそれぞれにダブルバスレフのキャビネットを形成するように、キャビネット３の内部に、および、蓋部材５の内部に左右チャンネルを仕切る仕切壁と、ダクトとを設けてもよい。
【産業上の利用可能性】
【００４９】
本発明の携帯用スピーカーシステムは、スピーカーシステムのみならず、携帯して音声を再生するヘッドホンにも適用が可能である。
【図面の簡単な説明】
【００５０】
【図１】本発明の好ましい実施形態による携帯時の携帯用スピーカーシステム１を説明する図である。（実施例１）
【図２】本発明の好ましい実施形態による動作時の携帯用スピーカーシステム１を説明する図である。（実施例１）
【図３】本発明の好ましい実施形態による携帯時の携帯用スピーカーシステム１０を説明する図である。（実施例２）
【図４】本発明の好ましい実施形態による動作時の携帯用スピーカーシステム１０を説明する図である。（実施例２）
【図５】本発明の好ましい実施形態による携帯時の携帯用スピーカーシステム１１を説明する図である。（実施例３）
【図６】本発明の好ましい実施形態による動作時の携帯用スピーカーシステム１１を説明する図である。（実施例３）
【図７】本発明の好ましい実施形態による携帯用スピーカーシステム１１を構成する蓋部材５を説明する図である。（実施例３）
【図８】本実施例の携帯用スピーカーシステム１１の低域での音圧周波数特性を、他の比較例と比較するグラフである。（実施例３）
【符号の説明】
【００５１】
１、１０、１１  携帯用スピーカーシステム
２、２Ｌ、２Ｒ  スピーカー
３              キャビネット
３０            第１キャビティ
３１            前面バフル
３２            後面バフル
４              ダクト
５              蓋部材
５０            内部空間、第２キャビティ
６、６Ｌ、６Ｒ  ダクト
７              接続コード
【図１】
2008028686.tif 000003
【図２】
2008028686.tif 000004
【図３】
2008028686.tif 000005
【図４】
2008028686.tif 000006
【図５】
2008028686.tif 000007
【図６】
2008028686.tif 000008
【図８】
2008028686.tif 000009
【図７】
2008028686.tif 000010